(57)【要約】      （修正有）【課題】アドレス放電を安定させることができるプラズマディスプレイ装置及び方法を提供する。【解決手段】複数個の電極を含むプラズマディスプレイパネル、タイミング制御信号を出力する駆動パルス制御部及び前記タイミング制御信号によって前記複数個の電極の内で少なくとも一つの電極に第１区間の間に第１電圧から第２電圧まで漸進的に立ち下がって第２区間の間に第２電圧で維持されて第３区間の間に前記第２電圧から前記第３電圧まで漸進的に立ち下がる第１セッダウンパルスを供給する駆動部を含む。【選択図】図５ａ
2007065671.tif 000002
【特許請求の範囲】
【請求項１】
複数個の電極を含むプラズマディスプレイパネルと、
タイミング制御信号を出力する駆動パルス制御部と、
前記タイミング制御信号によって前記複数個の電極の内で少なくとも一つの電極に第１区間の間に第１電圧から第２電圧まで漸進的に立ち下がって第２区間の間に第２電圧で維持されて第３区間の間に前記第２電圧から前記第３電圧まで漸進的に立ち下がる第１セッダウンパルスを供給する駆動部と、
を含むプラズマディスプレイ装置。
【請求項２】
前記駆動部は前記複数個の電極の内で連続的に配置された少なくとも二つの電極にスキャンパルスを順に供給することを特徴とする、請求項１記載のプラズマディスプレイ装置。
【請求項３】
前記駆動部は前記複数個の電極の内で奇数番目電極または偶数番目電極にスキャンパルスを順に供給することを特徴とする、請求項１記載のプラズマディスプレイ装置。
【請求項４】
前記駆動部は、
前記複数個の電極の内で少なくとも一つの電極を除いた残り電極の内で少なくとも一つの電極に第１区間の間に第４電圧から第５電圧まで漸進的に立ち下がって第２区間の間に前記第５電圧で維持されて第３期間の間に前記第５電圧から第６電圧まで漸進的に立ち下がる第２セッダウンパルスを供給して、
前記第２セッダウンパルスが供給される電極の個数は前記第１セッダウンパルスが供給される電極の個数と同じことを特徴とする、請求項１記載のプラズマディスプレイ装置。
【請求項５】
前記駆動部は、
互いに異なる二つのサブフィールドで前記複数個の電極の内で少なくとも一つの電極に第１区間の間に第１電圧から第２電圧まで漸進的に立ち下がって第２区間の間に第２電圧で維持されて第３区間の間に前記第２電圧から前記第３電圧まで漸進的に立ち下がる第１セッダウンパルスを供給して、
前記互いに異なる二つのサブフィールドの内で一つのサブフィールドの第２区間と残り一つのサブフィールドの第２区間は互いに異なるものを特徴とする、請求項１記載のプラズマディスプレイ装置。
【請求項６】
前記駆動部は、
前記複数個の電極の内で少なくとも一つの電極を除いた残り電極の内で少なくとも一つの電極に第１区間の間に第４電圧から第５電圧まで漸進的に立ち下がって第２区間の間に前記第５電圧で維持されて第３期間の間に前記第５電圧から第６電圧まで漸進的に立ち下がる第２セッダウンパルスを供給して、
前記第１セッダウンパルスが供給される電極の個数は前記第２セッダウンパルスが供給される電極の個数と異なることを特徴とする、請求項１記載のプラズマディスプレイ装置。
【請求項７】
前記第１区間の電圧傾きと前記第３区間の電圧傾きは実質的に同じことを特徴とする、請求項１記載のプラズマディスプレイ装置。
【請求項８】
前記第１区間の電圧傾きと前記第３区間の電圧傾きは互いに異なることを特徴とする、請求項１記載のプラズマディスプレイ装置。
【請求項９】
前記第１電圧はグラウンドレベルの電圧よりは大きく、サステイン電圧以下であることを特徴とする、請求項１記載のプラズマディスプレイ装置。
【請求項１０】
前記第２電圧は前記第３電圧よりは大きく、グラウンドレベルの電圧以下であることを特徴とする、請求項１記載のプラズマディスプレイ装置。
【請求項１１】
前記第３電圧はアドレス期間で前記複数個の電極に供給されるスキャンパルスの最低電圧以上であることを特徴とする、請求項１記載のプラズマディスプレイ装置。
【請求項１２】
前記駆動部は、
前記複数個の電極の内で少なくとも一つの電極を除いた残り電極の内で少なくとも一つの電極に第１区間の間に第４電圧から第５電圧まで漸進的に立ち下がって第２区間の間に前記第５電圧で維持されて第３期間の間に前記第５電圧から第６電圧まで漸進的に立ち下がる第２セッダウンパルスを供給して、
前記第２電圧で維持される期間は前記第５電圧で維持される期間と互いに異なることを特徴とする、請求項１記載のプラズマディスプレイ装置。
【請求項１３】
前記駆動部は、
前記複数個の電極の内で第１電極に前記第１セッダウンパルスを供給して、
前記複数個の電極の内で第２電極に第１区間の間に第４電圧から第５電圧まで漸進的に立ち下がって第２区間の間に前記第５電圧で維持されて第３期間の間に前記第５電圧から第６電圧まで漸進的に立ち下がる第２セッダウンパルスを供給して、
前記第１電極にスキャンパルスを供給して休止期間後前記第２電極にスキャンパルスを供給することを特徴とする、請求項１記載のプラズマディスプレイ装置。
【請求項１４】
前記駆動部は、前記休止期間が前記第３区間の一部と重畳されるように前記第２セッダウンパルスを供給することを特徴とする、請求項１３記載のプラズマディスプレイ装置。
【請求項１５】
前記休止期間の持続時間は１ｕｓ以上１００ｕｓ以下であることを特徴とする、請求項１３記載のプラズマディスプレイ装置。
【請求項１６】
前記駆動部は、
前記複数個の電極の内で少なくとも一つを除いた残り電極の内で少なくとも一つに第７電圧から第８電圧まで漸進的に立ち下がるセッダウンパルスを供給することを特徴とする、請求項１記載のプラズマディスプレイ装置。
【請求項１７】
前記駆動部は、
前記複数個の電極の内で第１電極及び第２電極に前記第１セッダウンパルスと第２セッダウンパルスをそれぞれ供給して、前記第１電極にスキャンパルスを供給した後前記第２電極にスキャンパルスを供給して、
前記第２セッダウンパルスは第１区間の間に第４電圧から第５電圧まで漸進的に立ち下がって第２区間の間に前記第５電圧で維持されて第３期間の間に前記第５電圧から第６電圧まで漸進的に立ち下がって、
前記第５電圧が維持される第２区間の持続時間は前記第２電圧が維持される第２区間の持続時間より大きいことを特徴とする、請求項１記載のプラズマディスプレイ装置。
【請求項１８】
複数個の電極を含むプラズマディスプレイパネルと、
タイミング制御信号を出力する駆動パルス制御部と、
前記タイミング制御信号によって前記複数個の電極の内で少なくとも一つの電極に第１区間の間に第１電圧から第２電圧まで漸進的に立ち下がって第２区間の間に第２電圧で維持されて第３区間の間に前記第２電圧から前記第３電圧まで漸進的に立ち下がる第１セッダウンパルスを供給して、
前記複数個の電極の内で少なくとも一つの電極を除いた残り電極の内で少なくとも一つに前記第２区間にスキャンパルスを供給する駆動部と、
を含むプラズマディスプレイ装置。
【請求項１９】
前記駆動部は、
前記スキャンパルスを供給した後前記残り電極の内で少なくとも一つに前記第２区間に複数個のサステインパルスの内で少なくとも一つを供給することを特徴とする、請求項１８記載のプラズマディスプレイ装置。
【請求項２０】
複数個の電極を含むプラズマディスプレイ装置の駆動方法において、
セッダウン期間の第１区間の間に前記複数個の電極の内で少なくとも一つの電極の電位が第１電圧から第２電圧まで漸進的に立ち下がるようにする段階と、
前記セッダウン期間の第２区間の間に前記少なくとも一つの電極の電位が第２電圧で維持されるようにする段階と、
前記セッダウン期間の第３区間の間に前記少なくとも一つの電極の電位が前記第２電圧から前記第３電圧まで漸進的に立ち下がるようにする段階と、
を含むことを特徴とするプラズマディスプレイ装置の駆動方法。
【発明の詳細な説明】
【技術分野】
【０００１】
本発明はプラズマディスプレイ装置及び駆動方法に関する。
【背景技術】
【０００２】
一般的にプラズマディスプレイ装置は前面基板と背面基板を含み、前面基板と背面基板の間には隔壁によって区画された放電セルが形成される。各放電セル内にはネオン（Ｎｅ）、 ヘリウム（Ｈｅ）またはネオン及びヘリウムの混合気体（Ｎｅ＋Ｈｅ）のような主放電気体と少量のキセノンを含む不活性ガスが充填される。プラズマディスプレイ装置の電極に供給された高周波電圧によって放電セル内で放電が起きれば、不活性ガスは真空紫外線（Ｖａｃｕｕｍ Ｕｌｔｒａｖｉｏｌｅｔ ｒａｙｓ）を発生して真空紫外線が隔壁の間に形成された型光体を発光させて画像が具現される。
【０００３】
プラズマディスプレイ装置は一つのフレームを構成する複数個のサブフィールド内の一つ以上のサブフィールドを映像信号にマッピングさせることで階調を表現する。各サブフィールドは放電セルを初期化させるためのリセット期間、 放電する放電セルを選択するためのアドレス期間及び階調を具現するためのサステイン期間で分けられる。
【０００４】
プラズマディスプレイ装置は順にスキャン電極にスキャンパルスを供給する。スキャンパルスはリセット期間以後に各スキャン電極に順に供給されるのでスキャンパルスの供給時点は互いに異なる。リセット期間が終わる時点からスキャンパルスが供給される時点の間の時間が長くなれば壁電荷の減少する割合が増加する。すなわち、スキャン手順が遅くなるほど壁電荷と空間電荷の結合可能性が大きくなるのでアドレス放電をするための壁電荷の量が減少する。これによってアドレス放電が不安定に発生する可能性が大きくなるだけでなくサステイン放電にも影響を及ぼす。
【発明の開示】
【発明が解決しようとする課題】
【０００５】
本発明の目的は、アドレス放電を安定させることができるプラズマディスプレイ装置及び方法を提供する。
【課題を解決するための手段】
【０００６】
本発明の実施形態によるプラズマディスプレイ装置は複数個の電極を含むプラズマディスプレイパネル、タイミング制御信号を出力する駆動パルス制御部及び前記タイミング制御信号によって前記複数個の電極の内で少なくとも一つの電極に第１区間の間に第１電圧から第２電圧まで漸進的に立ち下がって第２区間の間に第２電圧で維持されて第３区間の間に前記第２電圧から前記第３電圧まで漸進的に立ち下がる第１セッダウンパルスを供給する駆動部を含む。
【０００７】
前記駆動部は前記複数個の電極の内で連続的に配置された少なくとも二つの電極にスキャンパルスを順に供給することができる。
【０００８】
前記駆動部は前記複数個の電極の内で奇数番目電極または偶数番目電極にスキャンパルスを順に供給することができる。
【０００９】
前記駆動部は前記複数個の電極の内で少なくとも一つの電極を除いた残り電極の内で少なくとも一つの電極に第１区間の間に第４電圧から第５電圧まで漸進的に立ち下がって第２区間の間に前記第５電圧で維持されて第３期間の間に前記第５電圧から第６電圧まで漸進的に立ち下がる第２セッダウンパルスを供給して、前記第２セッダウンパルスが供給される電極の個数は前記第１セッダウンパルスが供給される電極の個数と同じことがある。
【００１０】
前記駆動部は互いに異なる二つのサブフィールドで前記複数個の電極の内で少なくとも一つの電極に第１区間の間に第１電圧から第２電圧まで漸進的に立ち下がって第２区間の間に第２電圧で維持されて第３区間の間に前記第２電圧から前記第３電圧まで漸進的に立ち下がる第１セッダウンパルスを供給して、前記互いに異なる二つのサブフィールドの内で一つのサブフィールドの第２区間と残り一つのサブフィールドの第２区間は互いに異なることがある。
【００１１】
前記駆動部は前記複数個の電極の内で少なくとも一つの電極を除いた残り電極の内で少なくとも一つの電極に第１区間の間に第４電圧から第５電圧まで漸進的に立ち下がって第２区間の間に前記第５電圧で維持されて第３期間の間に前記第５電圧から第６電圧まで漸進的に立ち下がる第２セッダウンパルスを供給して、前記第１セッダウンパルスが供給される電極の個数は前記第２セッダウンパルスが供給される電極の個数と異なることがある。
【００１２】
前記第１区間の電圧傾きと前記第３区間の電圧傾きは実質的に同じことがある。
【００１３】
前記第１区間の電圧傾きと前記第３区間の電圧傾きは互いに異なることがある。
【００１４】
前記第１電圧はグラウンドレベルの電圧よりは大きく、サステイン電圧以下であることがある。
【００１５】
前記第２電圧は前記第３電圧よりは大きく、グラウンドレベルの電圧以下であることがある。
【００１６】
前記第３電圧はアドレス期間で前記複数個の電極に供給されるスキャンパルスの最低電圧以上となることがある。
【００１７】
前記駆動部は前記複数個の電極の内で少なくとも一つの電極を除いた残り電極の内で少なくとも一つの電極に第１区間の間に第４電圧から第５電圧まで漸進的に立ち下がって第２区間の間に前記第５電圧で維持されて第３期間の間に前記第５電圧から第６電圧まで漸進的に立ち下がる第２セッダウンパルスを供給して、前記第２電圧で維持される期間は前記第５電圧で維持される期間と互いに異なることがある。
【００１８】
前記駆動部は前記複数個の電極の内で第１電極に前記第１セッダウンパルスを供給して、 前記複数個の電極の内で第２電極に第１区間の間に第４電圧から第５電圧まで漸進的に立ち下がって第２区間の間に前記第５電圧で維持されて第３期間の間に前記第５電圧から第６電圧まで漸進的に立ち下がる第２セッダウンパルスを供給して、前記第１電極にスキャンパルスを供給して休止期間後前記第２電極にスキャンパルスを供給することができる。
【００１９】
前記駆動部は前記休止期間が前記第３区間の一部と重畳されるように前記第２セッダウンパルスを供給することができる。
【００２０】
前記休止期間の持続時間は１ｕｓ以上１００ｕｓ 以下であることがある。ここで、ｕｓはマイクロ秒を意味する。以下同様である。
【００２１】
前記駆動部は前記複数個の電極の内で少なくとも一つを除いた残り電極の内で少なくとも一つに第７電圧から第８電圧まで漸進的に立ち下がるセッダウンパルスを供給することができる。
【００２２】
前記駆動部は前記複数個の電極の内で第１電極及び第２電極に前記第１セッダウンパルスと第２セッダウンパルスをそれぞれ供給して、前記第１電極にスキャンパルスを供給した後前記第２電極にスキャンパルスを供給して、前記第２セッダウンパルスは第１区間の間に第４電圧から第５電圧まで漸進的に立ち下がって第２区間の間に前記第５電圧で維持されて第３期間の間に前記第５電圧から第６電圧まで漸進的に立ち下がって、前記第５電圧が維持される第２区間の持続時間は前記第２電圧が維持される第２区間の持続時間より大きくなることがある。
【００２３】
本発明の実施形態によるプラズマディスプレイ装置は複数個の電極を含むプラズマディスプレイパネル、 タイミング制御信号を出力する駆動パルス制御部及び前記タイミング制御信号によって前記複数個の電極の内で少なくとも一つの電極に第１区間の間に第１電圧から第２電圧まで漸進的に立ち下がって第２区間の間に第２電圧で維持されて第３区間の間に前記第２電圧から前記第３電圧まで漸進的に立ち下がる第１セッダウンパルスを供給して、前記複数個の電極の内で少なくとも一つの電極を除いた残り電極の内で少なくとも一つに前記第２区間にスキャンパルスを供給する駆動部を含む。
【００２４】
前記駆動部は前記スキャンパルスを供給した後前記残り電極の内で少なくとも一つに前記第２区間に複数個のサステインパルスの内で少なくとも一つを供給することができる。
【００２５】
本発明の実施形態によるプラズマディスプレイ装置の駆動方法はセッダウン期間の第１区間の間に前記複数個の電極の内で少なくとも一つの電極の電位が第１電圧から第２電圧まで漸進的に立ち下がるようにする段階、前記セッダウン期間の第２区間の間に前記少なくとも一つの電極の電位が第２電圧で維持されるようにする段階及び前記セッダウン期間の第３区間の間に前記少なくとも一つの電極の電位が前記第２電圧から前記第３電圧まで漸進的に立ち下がるようにする段階を含む。
【発明の効果】
【００２６】
本発明はアドレス放電を安定化させて画質の悪化を防止する。
【発明を実施するための最良の形態】
【００２７】
以下では本発明による具体的な実施形態を添付された図面を参照して説明する。
【００２８】
図１は本発明の実施形態によるプラズマディスプレイ装置を示すものである。 
図１に示すように、本発明の実施形態によるプラズマディスプレイ装置は、プラズマディスプレイパネル１１０、駆動パルス制御部１２０、スキャン駆動部１３０、データ駆動部１４０及びサステイン駆動部１５０を含む。
【００２９】
プラズマディスプレイパネル１１０は、スキャン電極（Ｙ１乃至Ｙｎ）、サステイン電極（Ｚ）及びアドレス電極（Ｘ１乃至Ｘｍ）を含み、スキャン電極（Ｙ１乃至Ｙｎ）、サステイン電極（Ｚ）及びアドレス電極（Ｘ１乃至Ｘｍ）のうち少なくとも一つに駆動パルスを供給受けて映像信号にあたる画像を表示する。
【００３０】
駆動パルス制御部１２０はスキャン駆動部１３０を制御するためのタイミング制御信号を出力する。
【００３１】
スキャン駆動部１３０は、駆動パルス制御部１２０からタイミング制御信号を入力受けてリセット期間に放電セルの壁電荷を均一にさせるためのセットアップパルスとセッダウンパルスをスキャン電極（Ｙ１乃至Ｙｎ）に供給する。スキャン駆動部１３０はタイミング制御信号によって複数個のスキャン電極（Ｙ１乃至Ｙｎ）の内少なくとも一つの電極に第１区間の間に第１電圧から第２電圧まで漸進的に立ち下がって第２区間の間に第２電圧で維持されて第３区間の間に第２電圧から前記第３電圧まで漸進的に立ち下がるセッダウンパルスを供給する。スキャン駆動部１３０はアドレス期間にスキャンパルスを、サステイン期間にサステインパルスをスキャン電極（Ｙ１乃至Ｙｎ）に供給する。スキャン駆動部１３０の動作は以後に図面を参照して詳しく説明する。
【００３２】
データ駆動部１４０はスキャンパルスに同期して映像信号にあたるデータパルスをアドレス電極（Ｘ１乃至Ｘｍ）に供給する。
【００３３】
サステイン駆動部１５０は、サステイン期間にスキャン駆動部１３０によって供給されたサステインパルスと交互にサステインパルスをサステイン電極（Ｚ）に供給する。
【００３４】
図２は本発明によるプラズマディスプレイ装置の駆動方法を説明するためにプラズマディスプレイパネルに形成されたスキャン電極を２個のスキャン電極群で分けた図である。
【００３５】
図２、図３及び図４は本発明の実施形態によるプラズマディスプレイ装置の駆動方法を説明するためのものである。
【００３６】
例えば、Ａスキャン電極群はＹａ１スキャン電極からＹａ（ｎ／２）スキャン電極を含み、Ｂスキャン電極群はＹｂ（（ｎ／２）＋１））スキャン電極からＹｂ（ｎ）スキャン電極までを含む。一つのスキャン電極群に含まれるすべてのスキャン電極は連続的に配置されているしスキャン駆動部１３０は順にスキャンパルスを供給する。
【００３７】
図２では複数個のスキャン電極が二つのスキャン電極群で分けられたが、２個以上のスキャン電極群で分けられることも可能である。
【００３８】
図３に示すように、複数個のスキャン電極は、Ａスキャン電極群、Ｂスキャン電極群 、Ｃスキャン電極群、Ｄスキャン電極群で分けられる。Ａスキャン電極群はＹａ１スキャン電極からＹａ（ｎ／４）スキャン電極までのスキャン電極を含み、Ｂスキャン電極群は Ｙｂ（（ｎ／４）＋１））スキャン電極からＹｂ（（２ｎ）／４）スキャン電極までのスキャン電極を含み、Ｃスキャン電極群はＹｃ（（２ｎ／４）＋１））スキャン電極からＹｃ（（３ｎ）／４）スキャン電極までのスキャン電極を含み、Ｄスキャン電極群はＹｄ（（３ｎ／４）＋１））スキャン電極からＹｄ（ｎ）スキャン電極までのスキャン電極を含む。一つのスキャン電極群に含まれるスキャン電極は連続的に配置されているしスキャン駆動部１３０は順にスキャンパルスをする。
【００３９】
図２及び図３ではスキャン電極グループそれぞれが含むスキャン電極の個数は同一だったが、図４に示すように二つのスキャン電極グループそれぞれが含むスキャン電極の個数は互いに異なることがある。全体スキャン電極はＡスキャン電極群、Ｂスキャン電極群、Ｃスキャン電極群、Ｄスキャン電極群、及びＥスキャン電極群で分けられる。Ａスキャン電極群はＹ１スキャン電極からＹ１０スキャン電極までのスキャン電極を含み、Ｂスキャン電極群はＹ１１スキャン電極からＹ１５スキャン電極までのスキャン電極を含み、Ｃスキャン電極群はＹ１６スキャン電極を含み、Ｄスキャン電極群はＹ１７スキャン電極からＹ６０スキャン電極までを含み、Ｅスキャン電極群はＹ６１スキャン電極からＹ１００スキャン電極までのスキャン電極を含む。
【００４０】
一つのスキャン電極群が複数個のスキャン電極を含む時、複数個のスキャン電極は連続的に配置されて、スキャン駆動部１３０はスキャン電極群に含まれたスキャン電極に順にスキャンパルスを供給する。
【００４１】
図５ａ及び図５ｂは本発明の第１実施形態によるプラズマディスプレイ装置の駆動方法を示すものである。
【００４２】
先ず、図５ａに示すように、スキャン駆動部１３０はリセット期間にＡスキャン電極群に含まれたスキャン電極（Ｙａ１ 乃至 Ｙａ（ｎ／２））に第１電圧（Ｖ１）から第２電圧（Ｖ３）まで漸進的に立ち下がるセッダウンパルスを供給する。またスキャン駆動部１３０はリセット期間の第１区間にＢスキャン電極群に含まれたスキャン電極（Ｙｂ（（ｎ／２）＋１）乃至Ｙｂｎ）に第１電圧（Ｖ１）から第２電圧（Ｖ２）まで漸進的に立ち下がってリセット期間の第２区間（ｄ１）に第２電圧（Ｖ２）で維持されてリセット期間の第３区間に第２電圧（Ｖ２）から第３電圧（Ｖ３）まで漸進的に立ち下がるセッダウンパルスを供給する。
【００４３】
第２電圧（Ｖ２）はグラウンドレベルの電圧と実質的に同じである。第１電圧（Ｖ１）はグラウンドレベル（ＧＮＤ）の電圧よりは大きく、サステイン電圧（Ｖｓ）以下とすることができる。第１電圧（Ｖ１）がサステイン電圧（Ｖｓ）と同じ場合、スキャン駆動部１３０の構成が簡単にすることができる。サステイン電圧（Ｖｓ）はサステイン期間にサステインパルスを形成するための電圧である。またリセット期間の第１区間で供給される電圧波形の傾きはリセット期間の第３区間で供給される電圧波形の傾きと実質的に同じことがある。第１区間で供給される電圧波形の傾きが第３区間で供給される電圧波形の傾きと実質的に同じ場合、駆動パルス制御部１２０がスキャン駆動部１３０を制御すること容易である。
【００４４】
リセット期間の第１区間で供給される電圧波形の傾きはリセット期間の第３区間で供給される電圧波形の傾きと異なることもでき、第１区間で供給される電圧波形の傾きの大きさは第３区間で供給される電圧波形の傾きの大きさより大きくなることができる。第１区間で供給される電圧波形の傾きの大きさは第３区間で供給される電圧波形の傾きの大きさより大きい場合、放電セル内の壁電荷消去を速かにできる。
【００４５】
リセット期間の第２区間（ｄ１）で供給される第２電圧（Ｖ２）は放電セルの壁電荷を一定量消去するためのセッダウン放電を一時停止させる。これによってセッダウン放電後スキャンバイアス電圧（Ｖｓｃ）がＢスキャン電極群に供給される時間が減る。したがってＢスキャン電極群がＡスキャン電極群より遅くスキャンされてもセッダウン放電以後 Ｂスキャン電極群上に形成された壁電荷と空間電荷が結合することができる時間が減るためにアドレス放電が安定的に成ることができる。
【００４６】
Ｂスキャン電極群に含まれたスキャン電極（Ｙｂ（（ｎ／２）＋１）乃至Ｙｂｎ）それぞれに供給される第２電圧が維持される第２区間（ｄ１）は実質的に同じ場合、駆動パルス制御部１２０がスキャン駆動部１３０を制御することが容易である。
【００４７】
図５ｂはリセット期間の第３区間に供給される電圧とリセット期間の第２区間に供給される電圧の関係を示すものである。図５ｂに示すのように、第３電圧はアドレス期間でスキャン電極（Ｙ）に供給されるスキャンパルス（ＳＰ）のスキャン電圧（−Ｖｙ）より大きい。これによって、第３電圧（Ｖ３）とスキャン電圧（−Ｖｙ）の間にはΔＶの電圧差が発生する。第３電圧（Ｖ３）がスキャン電圧（−Ｖｙ）より大きければアドレス期間でスキャン電極（Ｙ）に供給されるスキャンパルス（ＳＰ）とアドレス電極（Ｘ）に供給されるデータパルスによって発生するアドレス放電が強く発生する。
なお、第３電圧（Ｖ３）とスキャン電圧（−Ｖｙ）との差によるアドレス放電の強化が要求されない場合には、第３電圧（Ｖ３）をスキャン電圧（−Ｖｙ）と同一としても良い。
【００４８】
リセット期間の第２区間（ｄ１）に供給される第２電圧（Ｖ２）は、図５ａ及び図５ｂに示すのように、グラウンドレベルの電圧であることもあるが、図６ａ及び図６ｂに示すのように負極性電圧であることもある。第２電圧（Ｖ２）は、グラウンドレベルの電圧以下で、第３電圧（Ｖ３）より大きくなることがある。第２電圧（Ｖ２）がグラウンドレベル（ＧＮＤ）より大きければリセット期間の第３区間が過度に大きくなる。
【００４９】
図７ａ乃至図７ｃは本発明の第３実施形態によるプラズマディスプレイ装置の駆動方法を示すものである。
【００５０】
図７ａに示すように、全体１００個のスキャン電極の内でＹ１スキャン電極からＹ５０スキャン電極がＡスキャン電極群に含まれて、Ｙ５１スキャン電極からＹ１００スキャン電極がＢスキャン電極群に含まれる場合、スキャン手順がＡスキャン電極群より遅れた Ｂスキャン電極群にリセット期間の第２区間（ｄ１）に第２電圧（Ｖ２）が供給される。一方に、図７ｂに示すのように、全体１００個のスキャン電極の内でＹ１スキャン電極からＹ９０スキャン電極がＡスキャン電極群に含まれて、Ｙ９１スキャン電極からＹ１００スキャン電極がＢスキャン電極群 に含まれる場合、スキャン手順が遅れたＢスキャン電極群にリセット期間の第２区間（ｄ２）に第２電圧（Ｖ２）が供給される。この時図７ａの第２区間（ｄ１）は図７ｂの第２区間（ｄ２）より小さく設定される。すなわち、先にスキャンされるスキャン電極群に含まれるスキャン電極の個数が多いほど後でスキャンされるスキャン電極群に含まれるスキャン電極に第２電圧が供給される第２期間が大きくなる。
これによってスキャン手順が遅れたスキャン電極群でアドレス放電が起きる時アドレス放電に寄与する壁電荷の量が充分に確保されることでアドレス放電が安定的に起きる。
【００５１】
図８は本発明の第４実施形態によるプラズマディスプレイ装置の駆動方法を示すものである。図８に示すように、スキャン駆動部１３０はプラズマディスプレイパネルのＡスキャン電極群に含まれたスキャン電極（Ｙａ１乃至Ｙａ（ｎ／４））、Ｂスキャン電極群に含まれたスキャン電極（Ｙｂ（ｎ／４）＋１乃至Ｙｂ（２ｎ／４））、Ｃスキャン電極群に含まれたスキャン電極（Ｙｃ（２ｎ／４）＋１ 乃至Ｙｂ（３ｎ／４））、及びＤスキャン電極群に含まれたスキャン電極（Ｙｄ（３ｎ／４）＋１乃至Ｙｂｎ）に互いに異なる第２区間の間に第２電圧（Ｖ２）を供給する。
【００５２】
すなわち、スキャン手順が一番早いＡスキャン電極群ではリセット期間の第２区間が０で、Ａスキャン電極群よりスキャン手順が遅れたＢスキャン電極群ではリセット期間の第２区間がｄ１であり、Ｂスキャン電極群よりスキャン手順が遅れたＣスキャン電極群ではリセット期間の第２区間がｄ２であり、Ｃスキャン電極群よりスキャン手順が遅れたＤスキャン電極群ではリセット期間が第２区間がｄ３である。図８に示すように、スキャン手順が遅れるほど第２電圧（Ｖ２）が供給される第２区間が大きくなる。これによってセットダウン放電が一時停止する期間が大きくなるので壁電荷の減少量が少なくなることでアドレス放電が安定する。
【００５３】
図９は本発明の第５実施形態によるプラズマディスプレイ装置の駆動方法を示すものである。図９に示すように、スキャン駆動部１３０は互いに異なる第２区間（０、ｄ１、ｄ２、ｄ３、ｄ４、ｄ５、ｄ６、ｄ７）間に各スキャン電極（Ｙ１乃至Ｙ８）に第２電圧（Ｖ２）を供給する。これによってスキャン手順が遅れたスキャン電極上に形成された壁電荷の減少量が小さいから安定的なアドレス放電がなすことができる。また各スキャン電極の第２区間を調節することで各スキャン電極上に形成された壁電荷の電極の間偏差を減らすことができる。
【００５４】
図１０は本発明の第６実施形態によるプラズマディスプレイ装置の駆動方法を示すものである。図１０ａ及び図１０ｂに示すのように、スキャン駆動部１３０は互いに異なる二つのサブフィールド（ＳＦｍ、ＳＦｎ）で等しいスキャン電極群に含まれたスキャン電極に第２電圧が供給される第２区間が異なるのができる。すなわち、サブフィールドＳＦｍではＢスキャン電極群に含まれたスキャン電極(Ｙ５１乃至Ｙ１００)に第２電圧が第２区間（ｄ１）間供給されて、サブフィールドＳＦｎではＢスキャン電極群に含まれたスキャン電極(Ｙ５１乃至Ｙ１００)に第２電圧が第２区間（ｄ２）間供給されることができる。
【００５５】
図１１は本発明の実施形態によるプラズマディスプレイ装置の駆動方法で休止期間を説明するためのものである。図１１に示すのように、Ｙ１スキャン電極にスキャンパルスの供給が終わる時点とＹ２スキャン電極にスキャンパルスが供給される時点の間には休止期間（Ｗ）が存在する。またＹ２スキャン電極にスキャンパルスの供給が終わる時点とＹ３スキャン電極にスキャンパルスが供給される時点の間には休止期間（Ｗ）が存在する。Ｙ１スキャン電極に供給される駆動信号の休止期間（Ｗ）はスキャン手順が遅れたＹ２スキャン電極に供給される駆動信号のセッダウン期間の一部と重畳されることができる。特に、Ｙ１スキャン電極に供給される駆動信号の休止期間（Ｗ）はスキャン手順が遅れたＹ２スキャン電極に供給される駆動信号のセッダウン期間の第２区間（ｄ１）の一部と重畳されることができる。休止期間（Ｗ）は１ｕｓ以上１００ｕｓ以下であることがある。
【００５６】
二つのスキャン電極に連続的にスキャンパルスが供給される時休止期間が存在することで隣り合う二つのスキャン電極間に発生する誤放電が防止される。
【００５７】
図１２は本発明の第２実施形態によるプラズマディスプレイ装置を示すものである。図１２に示すのように、本発明の第２実施形態によるプラズマディスプレイ装置はスキャン駆動部１３０とサステイン駆動部１５０を含む。スキャン駆動部１３０は、サステインパルスを供給するための第１サステイナ（ｓｕｓｔａｉｎｅｒ）１３１と第２サステイナ１３３を含み、また、サステイン駆動部１５０は第３サステイナ１５１と第４サステイナ１５３を含む。第１サステイナ１３１は全体スキャン電極の内でＡスキャン電極群に含まれたスキャン電極（Ｙ１ 乃至Ｙ（ｎ／２））にサステインパルスを供給するためのもので、第２サステイナ１３３は全体スキャン電極の内でＢスキャン電極群に含まれたスキャン電極（Ｙ（ｎ／２）＋１乃至Ｙｎ）にサステインパルスを供給するためのものである。第３サステイナ１５１は、全体サステイン電極の内でＡサステイン電極群に含まれたサステイン電極（Ｚ１乃至Ｚ（ｎ／２））にサステインパルスを供給するためのもので、第４サステイナ１５３は、全体サステイン電極の内でＢサステイン電極群に含まれたサステイン電極（Ｚ（ｎ／２）＋１乃至Ｚｎ）にサステインパルスを供給するためのものである。
【００５８】
図１３は、本発明の第７実施形態によるプラズマディスプレイ装置の駆動方法を示すものである。本発明の第２実施形態によるプラズマディスプレイ装置は図１３のような駆動信号を供給することができる。すなわち、スキャン駆動部１３０はセッダウン期間にＡスキャン電極群に含まれたスキャン電極に漸進的に立ち下がるセットダウンパルス（ＰＡ）を供給する。Ａスキャン電極群に対するスキャンが完了した後、スキャン駆動部１３０はＢスキャン電極群に含まれたスキャン電極に第１区間で第１電圧（Ｖ１）から第２電圧（Ｖ２）まで漸進的に立ち下がって、第２区間（ｄ）で第２電圧（Ｖ２）で維持されて第３区間で第２電圧（Ｖ２）で第３電圧（Ｖ３）で漸進的に立ち下がるセッダウンパルス（ＰＢ）を供給する。
【００５９】
Ｂスキャン電極群に含まれたスキャン電極にセッダウンパルス（ＰＢ）が供給される時、 スキャン駆動部１３０はＡスキャン電極群に含まれたスキャン電極にスキャンパルス（ＳＰＡ）を順に供給する。すなわち、スキャン駆動部１３０はＡスキャン電極群に繋がれたスキャンドライブＩＣ（ＤＡ）を通じてスキャンパルス（ＳＰＡ）を供給して、Ｂスキャン電極群に繋がれたスキャンドライブＩＣ（ＤＢ）を通じてセッダウンパルス（ＰＢ）を供給する。特に、スキャン駆動部１３０はＢスキャン電極群に第２電圧（Ｖ２）が供給される第２区間（ｄ）にスキャンパルス（ＳＰＡ）を供給するとかスキャンパルス（ＳＰＡ）及びサステインパルス（ＳＵＳＡ）を供給することができる。スキャン駆動部１３０の第１サステイナ１３１はサステインパルス（ＳＵＳＹＡ）をＡスキャン電極群に繋がれたスキャンドライブＩＣ（ＤＡ）を通じて供給して、サステイン駆動部１５０の第３サステイナ１５１はサステインパルス（ＳＵＳＺＡ）をＢスキャン電極群に繋がれたスキャンドライブ ＩＣ（ＤＢ）を通じて供給する。
【００６０】
Ｂスキャン電極群にセッダウンパルス（ＰＢ）が供給された後、スキャン駆動部１３０はＢスキャン電極群に繋がれたスキャンドライブＩＣ（ＤＢ）を通じてスキャンパルス（ＳＰＢ）をＢスキャン電極群に供給する。以後スキャン駆動部１３０の第２サステイナ１３３とサステイン駆動部１５３はサステインパルス（ＳＵＳＹＢ、ＳＵＳＺＢ）をＢスキャン電極群及びＢサステイン電極群に供給する。
【図面の簡単な説明】
【００６１】
【図１】本発明の第１実施形態によるプラズマディスプレイ装置を示す図。
【図２】本発明の実施形態によるプラズマディスプレイ装置の駆動方法を説明するための 図。
【図３】本発明の実施形態によるプラズマディスプレイ装置の駆動方法を説明するための 図。
【図４】本発明の実施形態によるプラズマディスプレイ装置の駆動方法を説明するための 図。
【図５ａ】本発明の第１実施形態によるプラズマディスプレイ装置の駆動方法を示すの図。
【図５ｂ】本発明の第１実施形態によるプラズマディスプレイ装置の駆動方法を示すの図。
【図６ａ】本発明の第２実施形態によるプラズマディスプレイ装置の駆動方法を示す図。
【図６ｂ】本発明の第２実施形態によるプラズマディスプレイ装置の駆動方法を示す図。
【図７ａ】本発明の第３実施形態によるプラズマディスプレイ装置の駆動方法を示す図。
【図７ｂ】本発明の第３実施形態によるプラズマディスプレイ装置の駆動方法を示す図。
【図８】本発明の第４実施形態によるプラズマディスプレイ装置の駆動方法を示す図。
【図９】本発明の第５実施形態によるプラズマディスプレイ装置の駆動方法を示す図。
【図１０】本発明の第６実施形態によるプラズマディスプレイ装置の駆動方法を示す図。
【図１１】本発明の実施形態によるプラズマディスプレイ装置の駆動方法で休止期間を説明するための図。
【図１２】本発明の第２実施形態によるプラズマディスプレイ装置を示す図。
【図１３】本発明の第７実施形態によるプラズマディスプレイ装置の駆動方法を示す図である。
【図１】
2007065671.tif 000003
【図２】
2007065671.tif 000004
【図３】
2007065671.tif 000005
【図４】
2007065671.tif 000006
【図５ａ】
2007065671.tif 000007
【図５ｂ】
2007065671.tif 000008
【図６ａ】
2007065671.tif 000009
【図６ｂ】
2007065671.tif 000010
【図７ａ】
2007065671.tif 000011
【図７ｂ】
2007065671.tif 000012
【図８】
2007065671.tif 000013
【図９】
2007065671.tif 000014
【図１０】
2007065671.tif 000015
【図１１】
2007065671.tif 000016
【図１２】
2007065671.tif 000017
【図１３】
2007065671.tif 000018